(57)【要約】【課題】デジタルサイネージシステムを使用するユーザが、比較的容易にコンテンツをディスプレイに表示できるようにする。【解決手段】サイネージシステムは、静止画又は動画で構成されるコンテンツを表示するＬＥＤディスプレイ１０と、ＬＥＤディスプレイ１０への表示を制御する表示制御装置２０と、電子端末３０を備える。電子端末３０は、表示するコンテンツを選択し、該コンテンツのうちＬＥＤディスプレイ１０に表示する領域を示す表示枠の位置を該コンテンツ上に指定し、表示制御装置２０へ送信する。表示制御装置２０は、電子端末３０により指定されたコンテンツのうち、指定された表示枠の領域をＬＥＤディスプレイ１０に表示させる。【選択図】図１
2017090826.tif 000002
【特許請求の範囲】
【請求項１】
静止画又は動画で構成されるコンテンツを表示するＬＥＤディスプレイと、
前記ＬＥＤディスプレイへの表示を制御する表示制御装置と、
表示するコンテンツを選択し、該コンテンツのうち前記ＬＥＤディスプレイに表示する領域を示す表示枠の位置を該コンテンツ上に指定し、前記表示制御装置へ送信する電子端末と
を備え、
前記表示制御装置は、前記電子端末により指定されたコンテンツのうち、指定された表示枠の領域を前記ＬＥＤディスプレイに表示させるデジタルサイネージシステム。
【請求項２】
前記電子端末は、前記ＬＥＤディスプレイの種別を検出し、該種別に応じて表示枠の大きさを変更する請求項１に記載のデジタルサイネージシステム。
【請求項３】
前記電子端末は、表示するコンテンツと表示枠の位置の組を複数指定し、
前記表示制御装置は、選択されたコンテンツのうち第１のコンテンツを前記ＬＥＤディスプレイに表示している間に、第１のコンテンツとは異なる第２のコンテンツを読み込んで再生を開始して待機させ、表示中の第１のコンテンツから第２のコンテンツへ表示を切り替えて、第２のコンテンツを再生する請求項１又は２に記載のデジタルサイネージシステム。
【請求項４】
前記電子端末は、さらに、コンテンツの静止画又は動画を撮影する際のカメラの回転方向を示す回転情報を前記表示制御装置に送信し、
前記表示制御装置は、該回転情報を参照し、選択されたコンテンツの静止画又は動画の回転を補正する請求項１乃至３のいずれかに記載のデジタルサイネージシステム。
【発明の詳細な説明】
【技術分野】
【０００１】
本発明は、デジタルサイネージシステムに係り、特に、ＬＥＤディスプレイと電子端末を用いたデジタルサイネージシステムに関する。
【背景技術】
【０００２】
従来から、屋外での広告として、広告情報を記載した看板を設置することが行われている。また、液晶ディスプレイなどの表示機器を使って広告情報を表示機器に表示する電子看板（デジタルサイネージともいう）が知られている（例えば、特許文献１参照）。
【先行技術文献】
【特許文献】
【０００３】
【特許文献１】特開２０１２−１７３５４５号公報
【発明の概要】
【発明が解決しようとする課題】
【０００４】
従来のデジタルサイネージシステムは、ディスプレイに表示するコンテンツを制作するのにコンテンツ作成業者に依頼することが多かった。このような方法では新規コンテンツの設定、コンテンツの追加・変更の度にユーザが費用を負担しており、運用コストがかかっていた。また、同じコンテンツを長期間流していると、ディスプレイを見る人が飽きてしまい、デジタルサイネージシステムの広告効果が薄れてしまっていた。
【０００５】
本発明は、以上の点に鑑み、デジタルサイネージシステムを使用するユーザが、比較的容易にコンテンツをディスプレイに表示することが可能なデジタルサイネージシステムを提供することを目的とする。
【課題を解決するための手段】
【０００６】
本発明の解決手段によると、（ａ）静止画又は動画で構成されるコンテンツを表示するＬＥＤディスプレイと、（ｂ）ＬＥＤディスプレイへの表示を制御する表示制御装置と、（ｃ）表示するコンテンツを選択し、該コンテンツのうちＬＥＤディスプレイに表示する領域を示す表示枠の位置を該コンテンツ上に指定し、表示制御装置へ送信する電子端末とを備え、（ｄ）表示制御装置は、電子端末により指定されたコンテンツのうち、指定された表示枠の領域をＬＥＤディスプレイに表示させるデジタルサイネージシステムが提供される。
【０００７】
これにより、デジタルサイネージシステムを使用するユーザが、比較的容易にコンテンツをディスプレイに表示することが可能なデジタルサイネージシステムを提供することができる。
【０００８】
また、上述のデジタルサイネージシステムにおいて、電子端末は、ＬＥＤディスプレイの種別を検出し、該種別に応じて表示枠の大きさを変更してもよい。
【０００９】
これにより、複数種類のＬＥＤディスプレイに対して、使用するディスプレイに適した表示枠の大きさを設定でき、電子端末での設定した表示領域のコンテンツと、ＬＥＤディスプレイで実際に表示されるコンテンツのずれを回避することができる。
【００１０】
また、上述のデジタルサイネージシステムにおいて、電子端末は、表示するコンテンツと表示枠の位置の組を複数指定し、表示制御装置は、選択されたコンテンツのうち第１のコンテンツをＬＥＤディスプレイに表示している間に、第１のコンテンツとは異なる第２のコンテンツを読み込んで再生を開始して待機させ、表示中の第１のコンテンツから第２のコンテンツへ表示を切り替えて、第２のコンテンツを再生してもよい。
【００１１】
これにより、第２のコンテンツの再生を開始するための処理に要する時間に依存せずに、第１のコンテンツから第２のコンテンツへ表示をスムーズに切り替えることができる。
【００１２】
また、上述のデジタルサイネージシステムにおいて、電子端末は、さらに、コンテンツの静止画又は動画を撮影する際のカメラの回転方向を示す回転情報を表示制御装置に送信し、表示制御装置は、該回転情報を参照し、選択されたコンテンツの静止画又は動画の回転を補正してもよい。
【００１３】
これにより、コンテンツが本来の向きでＬＥＤディスプレイに表示される。
【発明の効果】
【００１４】
本発明によると、デジタルサイネージシステムを使用するユーザが、比較的容易にコンテンツをディスプレイに表示することが可能なデジタルサイネージシステムを提供することができる。
【図面の簡単な説明】
【００１５】
【図１】本発明の実施の形態によるデジタルサイネージシステムの構成図である。
【図２】本発明の実施の形態における表示制御装置のハードウェア構成図である。
【図３】本発明の実施の形態における電子端末のハードウェア構成図である。
【図４】コンテンツ指定処理のフローチャートである。
【図５】コンテンツ表示処理のフローチャートである。
【発明を実施するための形態】
【００１６】
図１は、本発明の実施の形態によるデジタルサイネージシステムの構成図である。
デジタルサイネージシステムは、ＬＥＤディスプレイ１０と、表示制御装置２０と、電子端末３０を備える。ＬＥＤディスプレイ１０と表示制御装置２０は、例えばＨＤＭＩ（High-Definition Multimedia Interface：高精細度マルチメディアインターフェース、登録商標）などのケーブルで接続される。表示制御装置２０と電子端末３０は、Ｗｉ−Ｆｉ（Wireless Fidelity：ワイファイ）などを使用して、無線で通信可能である。
【００１７】
なお、ＬＥＤディスプレイ１０と表示制御装置２０はケーブルで接続される以外にも、一体に構成されてもよい。また、表示制御装置２０と電子端末３０は無線で通信する以外にも、ケーブルを介して接続して有線で通信してもよい。
【００１８】
ＬＥＤディスプレイ１０は、静止画又は動画で構成されるコンテンツを表示する表示装置である。ＬＥＤディスプレイ１０は、複数のＬＥＤが配列された表示装置であり、液晶ディスプレイに比べて輝度が高い。例えば、ＬＥＤディスプレイ１０を日中の屋外に設置しても表示されるコンテンツを十分に視認することができる。本実施の形態では、各ＬＥＤの間隔が２．５ｍｍピッチの高精細ＬＥＤディスプレイを想定しているが、これ以外の適宜のピッチのＬＥＤディスプレイでもよい。
【００１９】
電子端末３０は、ＬＥＤディスプレイ１０に表示するコンテンツ等を作成して表示制御装置２０に送信する。例えば、電子端末３０は、表示するコンテンツを選択し、選択したコンテンツのうちＬＥＤディスプレイ１０に表示する領域を示す表示枠の位置をコンテンツ上に指定し、表示制御装置２０へ送信する。電子端末３０は、例えば、スマートフォンを用いることができるが、タブレット端末、ＰＣ、その他の電子機器でもよい。
【００２０】
表示制御装置２０は、ＬＥＤディスプレイ１０への表示を制御する。例えば、表示制御装置２０は、電子端末３０により選択されたコンテンツのうち、指定された表示枠の領域をＬＥＤディスプレイ１０に表示させる。
【００２１】
図２は、本発明の実施の形態における表示制御装置２０のハードウェア構成図である。
【００２２】
表示制御装置２０は、例えば、プロセッサ２１と、メモリ２２と、通信インタフェース２３と、ディスプレイインタフェース２４を備える。
【００２３】
プロセッサ２１は、表示制御装置２０の処理を実行する。処理の詳細は後述する。メモリ２２は、例えば、プロセッサ２１で実行されるプログラムと、電子端末３０から受信したコンテンツ及び表示枠の座標などの表示制御情報を記憶する。なお、メモリ２２は一部または全部がＵＳＢメモリなどの外部メモリであってもよい。通信インタフェース２３は、電子端末３０と無線で通信するためのインタフェースである。ディスプレイインタフェース２４は、ＬＥＤディスプレイ１０にコンテンツ等を出力するためのインタフェースである。
【００２４】
図３は、本発明の実施の形態における電子端末のハードウェア構成図である。
電子端末３０は、例えば、プロセッサ３１と、メモリ３２と、入力部３３と、表示部３４と、通信インタフェース３６を備える。電子端末３０は、カメラ３５をさらに備えても良い。入力部３３と表示部３４は、例えばタッチパネル３７で一体に構成される。
【００２５】
プロセッサ３１は、電子端末３０の処理を実行する。処理の詳細は後述する。メモリ３２は、例えば、プロセッサ３１で実行されるプログラム（アプリ）と、撮影された静止画又は動画などのコンテンツと、表示枠の座標及び表示メッセージなどの表示制御情報を記憶する。なお、メモリ３２は一部または全部が通信ネットワーク（図示せず）を介した外部の記憶装置であってもよい。また、メモリ３２に記憶される静止画及び動画は、カメラ３５で撮影されたものでもよいし、インターネット等からダウンロードしたものでもよい。入力部３３は、ＬＥＤディスプレイ１０に表示するコンテンツの選択など、ユーザからの入力を受け付ける。表示部３４は、ユーザに対して画面を提示するための表示部であり、コンテンツの選択画面等、電子端末３０の処理においてユーザからの入力を促すための画面等を表示する。カメラ３５は、ユーザの操作に従い、静止画又は動画を撮影するための撮像装置である。通信インタフェース３６は、表示制御装置２０と無線で通信するためのインタフェースである。
【００２６】
図４は、コンテンツ指定処理のフローチャートである。コンテンツ指定処理は、電子端末３０で実行される。なお、以下の処理ではコンテンツとして動画を用いる例を説明する。静止画を用いる場合も、処理は同様である。なお、静止画を用いる場合、静止画を表示する時間を設定して動画と同様に表示することができる。
【００２７】
まず、電子端末３０のプロセッサ３１は、動画を選択する（Ｓ１０１）。例えば、プロセッサ３１は、電子端末３０のメモリ３２に記憶されている動画のリストを表示部３４に表示する。ユーザは、表示された動画のリストを参照し、ＬＥＤディスプレイ１０に表示させる動画を選び、入力部３３を操作して動画を選択する。電子端末３０は入力部３３により選択された動画の識別情報を特定し、プロセッサ３１は入力部３３から動画の識別情報を入力する。
【００２８】
プロセッサ３１は、表示枠の位置を設定する（Ｓ１０３）。例えば、プロセッサ３１は、ステップＳ１０１で選択された動画を表示部３４に表示し、動画上の任意の位置に表示枠を表示する。ここで、表示される動画は、動画のワンシーンで停止されていてもよいし、再生されていてもよい。表示枠の大きさは、ＬＥＤディスプレイ１０の解像度に応じて決定される。ユーザの操作により、表示枠がドラッグされて動画上の所望の位置に移動される。プロセッサ３１は、表示部３４に表示される決定ボタンがユーザにより押されたことを入力部３３を介して検知すると、表示枠の位置を検出する。例えば、動画の予め定められた基準位置（例えば画像の左上端）を原点として、表示枠の基準位置（例えば枠の左上端）の座標を検出することで表示枠の位置を設定する。
【００２９】
ここで、表示枠の大きさについて説明する。図１にはひとつのＬＥＤディスプレイ１０を記載しているが、本実施の形態のコンテンツ指定処理は、複数種類のＬＥＤディスプレイに対応することができる。ＬＥＤディスプレイ１０での表示は、使用するディスプレイの大きさ及びＬＥＤのピッチにより解像度が変わる。電子端末３０で設定する表示枠の大きさを、ＬＥＤディスプレイ１０に応じて変更することができる。
【００３０】
例えば、電子端末３０は、ＬＥＤディスプレイ１０の型番などの識別情報と、そのＬＥＤディスプレイ１０の解像度に応じた表示枠の大きさとの対応テーブルがメモリ３２に記憶されてもよい。電子端末３０は、入力部３３から型番などの識別情報を入力して、対応テーブルから対応する表示枠の大きさを取得してもよい。型番などの識別情報は、ユーザがＬＥＤディスプレイ１０の適宜の箇所に添付されたシール等をみて入力部３３を操作して直接入力されてもよいし、対応テーブルに記憶されている型番（及び対応する製品画像など）をディスプレイに表示して、ユーザが入力部３３を操作して選択するようにしてもよい。また、ＬＥＤディスプレイ１０に型番などの識別情報を埋め込んだＱＲコード（登録商標）を添付し、電子端末３０のカメラ３５を利用して識別情報を読み込んでも良い。
【００３１】
プロセッサ３１は、動画とともに表示するメッセージ（文字情報）を入力する（Ｓ１０５）。例えば、プロセッサ３１は、入力部３３を介して、ユーザの操作により入力されたメッセージを入力する。
【００３２】
プロセッサ３１は、選択された動画と、表示枠の位置情報及び入力されたメッセージを含む表示制御情報とを、通信インタフェース３６を介して表示制御装置２０へ送信する（Ｓ１０７）。なお、動画には、撮影した際のカメラの回転方向を示す回転情報が対応づけられている。ここでは、動画ともに、回転情報も表示制御装置２０へ送信される。表示制御装置２０は、通信インタフェース２３を介して電子端末３０から送信された動画等の情報を受信し、メモリ２２に記憶する。
【００３３】
電子端末３０は、動画を複数選択することができる。この場合、上述のステップＳ１０１〜Ｓ１０５を繰り返して複数の動画と各動画に対する表示枠及びメッセージを指定して、表示制御装置２０に送信してもよい。また、ステップＳ１０１〜Ｓ１０７を繰り返し行って、ＬＥＤディスプレイ１０に表示する動画を追加していく構成としてもよい。
【００３４】
なお、動画は電子端末３０から表示制御装置２０へ送信する以外にも、表示制御装置２０に予め記憶された動画を電子端末３０が選択できるようにし、動画の送信を省略してもよい。
【００３５】
図５は、コンテンツ表示処理のフローチャートである。コンテンツ表示処理は、表示制御装置２０で実行される。
【００３６】
表示制御装置２０のプロセッサ２１は、表示する動画（第１の動画）を読み込む（Ｓ２０１）。表示する動画は、電子端末３０で選択された動画のうち適宜の動画でよい。例えば、選択された順序に従い動画を読み込んでも良い。
【００３７】
プロセッサ２１は、第１の動画の回転を補正する（Ｓ２０３）。読み込んだ動画をそのまま再生すると、映像の縦横が逆（本来の向きから９０度回転）の場合や、上下が逆（１８０度回転）の場合がある。プロセッサ２１は、電子端末３０から受信した回転情報に基づき、読み込んだ第１の動画の回転を補正することで、本来の向きで第１の動画が表示されるように調整する。
【００３８】
プロセッサ２１は、指定された表示枠位置の第１の動画をＬＥＤディスプレイ１０に表示する（Ｓ２０５）。具体的には、プロセッサ２１は、第１の動画を再生し、第１の動画のうち指定された表示枠部分がＬＥＤディスプレイ１０に表示されるように、表示枠の座標に従い動画の表示位置を制御する。例えば、表示枠の基準位置（例えば、枠の左上端）の座標が、ＬＥＤディスプレイ１０の基準座標（例えばディスプレイの左上端）になるように表示位置を調整する。以上の処理により、第１の動画がＬＥＤディスプレイ１０に表示される。
【００３９】
第１の動画の再生中に、プロセッサ２１は、次に表示する動画（第２の動画）を読み込む（Ｓ２０７）。また、プロセッサ２１は、ステップＳ２０３と同様に、第２の動画の回転を補正する（Ｓ２０９）。プロセッサ２１は、指定された表示枠位置の第２の動画を再生し、最初のシーンで停止し、待機させる（Ｓ２１１）。プロセッサ２１は、表示されている動画（ここでは第１の動画）の終わりを検出すると（Ｓ２１３）、第２の動画の停止を解除し、ＬＥＤディスプレイ１０の表示を第２の動画へ切り替える（Ｓ２１５）。なお、待機中の第２の動画を停止せずに、再生された状態で待機させてもよい。
【００４０】
ステップＳ２０７〜Ｓ２１５の処理により、第２の動画の読み込み、補正などの処理時間に依存せずに、第１の動画の終了後に第２の動画をスムーズに表示できる。例えば、動画の読み込み時間が長い場合、第１の動画が終了してから第２の動画の表示が開始されるまで、何も表示されない時間ができてしまうが、上述の処理により回避できる。なお、第２の動画の表示が開始される前に、さらに次の動画に対してステップＳ２０７〜Ｓ２１１の処理を実行して待機させておいてもよい。
【００４１】
以後、ステップＳ２０７に戻り、順次動画を読みだして所定数の動画を待機させ、動画を順次表示させる。なお、図５のフローチャート及びその説明では、説明の便宜上、最初に表示される動画を第１の動画と記載し、以降の動画を第２の動画と記載しており、第２の動画は複数存在することができる。
【００４２】
以上、本実施の形態におけるデジタルサイネージシステムについて説明したが、本発明は、デジタルサイネージシステムにおける動画設定及び表示方法、又は、動画設定及び表示プログラムとしても実現可能である。
【産業上の利用可能性】
【００４３】
本発明は、例えば、デジタルサイネージ（電子看板）に利用可能である。
【符号の説明】
【００４４】
１０  ＬＥＤディスプレイ
２０  表示制御装置
３０  電子端末
２１  プロセッサ
２２  メモリ
２３  通信インタフェース
２４  ディスプレイインタフェース
３１  プロセッサ
３２  メモリ
３３  入力部
３４  表示部
３５  カメラ
３５  通信インタフェース
３７  タッチパネル
【図１】
2017090826.tif 000003
【図２】
2017090826.tif 000004
【図３】
2017090826.tif 000005
【図４】
2017090826.tif 000006
【図５】
2017090826.tif 000007